(57)【要約】  本発明はダウンリンク/アップリンクマップメッセージの生成方法及び装置に関する。配分情報要素(IE)に属するすべてのUL MAP IEとDL MAP IEが指示する変調コーディング方式に基づいて、同じ変調コーディング方式を指示するUL MAP IEとDL MAP IEを対応のSub-mapメッセージに構成し、制御IEに属するすべてのUL MAP IEとDL MAP IEをCompressed mapメッセージに構築する。Compressed mapメッセージとSub-mapメッセージが結合する方式でDL/UL MAPメッセージを生成し、UL MAP IEとDL MAP IEが同一のSub-mapメッセージにあり、且つSub-mapメッセージがより高いオーダーの変調コーディング方式を採用することができるため、大幅にmapメッセージのオーバーヘッドを減少する。
2013501437.tif 000002
【特許請求の範囲】
【請求項１】
ダウンリンク/アップリンクマップメッセージの生成方法であって、該方法は、
配分情報要素IEに属するすべてのアップリンクマップ情報要素UL MAP IEとダウンリンクマップ情報要素DL MAP IEが指示する変調コーディング方式に基づいて、同じに変調コーディング方式を指示するUL MAP IEとDL MAP IEを対応のサブダウンリンク/アップリンクマップSub-mapメッセージに構築することと、
制御IEに属するすべてのUL MAP IEとDL MAP IEを圧縮ダウンリンク/アップリンクマップCompressed mapメッセージに構築することを含むことを特徴とする、方法。
【請求項２】
同じ変調コーディング方式を指示するUL MAP IEとDL MAP IEを対応のSub-mapメッセージに構築するのは、具体的に、
配分IEに属するすべてのUL MAP IEを、各UL MAP IEが指示する変調コーディング方式に応じてそれぞれ対応の第1類Sub-mapメッセージ配列に書き込むことと、
配分IEに属するすべてのDL MAP IEを、各DL MAP IEが指示する変調コーディング方式に応じてそれぞれ対応の第2類Sub-mapメッセージ配列に書き込むことと、
前記第1類Sub-mapメッセージ配列と前記第2類Sub-mapメッセージ配列を前記Sub-mapメッセージに構築することを含むことを特徴とする請求項１に記載の方法。
【請求項３】
配分IEに属するすべてのUL MAP IEを第1類Sub-mapメッセージ配列に書き込むのは、具体的に、
各UL MAP IEにおけるアップリンク区間使用コードUIUCフィールドが指示する変調コーディング方式に基づいて、各UL MAP IEをそれぞれ予めに定義されたIE変調コーディング方式がそれぞれQPSK、16QAM及び64QAMである第1類Sub-mapメッセージ配列に書き込むことを含み、
配分IEに属するすべてのDL MAP IEを第2類Sub-mapメッセージ配列に書き込むのは、具体的に、
前記DL MAP IEにおけるダウンリンク区間使用コードDIUCフィールドが指示する変調コーディング方式に基づいて、各DL MAP IEをそれぞれ予めに定義された変調コーディング方式がそれぞれQPSK、16QAM及び64QAMである第2類Sub-mapメッセージ配列に書き込むことを含み、
第1類Sub-mapメッセージ配列と第2類Sub-mapメッセージ配列をSub-mapメッセージに構築するのは、具体的に、
同じ変調コーディング方式の前記第1類Sub-mapメッセージ配列おけるすべてのUL MAP IEを前記第2類Sub-mapメッセージ配列におけるすべてのDL MAP IEの後に書き込み、変調コーディング方式がそれぞれQPSK1/2、16QAM1/2及び64QAM1/2であるSub-mapメッセージを生成することを含むことを特徴とする請求項２に記載の方法。
【請求項４】
制御IEに属するUL MAP IEとDL MAP IEをCompressed mapメッセージに構築するのは、
制御IEに属するすべてのUL MAP IEを圧縮アップリンクマップCompressed UL MAPメッセージに書き込みことと、
制御IEに属するすべてのDL MAP IEを圧縮ダウンリンクマップCompressed DL MAPメッセージに書き込むことと、
前記Compressed UL MAPメッセージを前記Compressed DL MAPメッセージの後に付加して、前記Compressed mapメッセージに構築することを含むことを特徴とする請求項１に記載の方法。
【請求項５】
各Sub-mapメッセージを構築した後、該方法さらに、
前記Compressed DL MAPメッセージに、それぞれのSub-mapメッセージが対応するSub-mapメッセージ指示IEを添加し、及びSub-mapメッセージが非デフォルトのゾーンZoneに配分されるとき、該Sub-mapメッセージが対応するSub-mapメッセージ指示IEの前に、Zone存在指示IEを添加することを含むことを特徴とする請求項４に記載の方法。
【請求項６】
ダウンリンク/アップリンクマップメッセージの生成装置であって、Sub-mapメッセージ生成ユニットとCompressed mapメッセージ生成ユニットを含み、
Sub-mapメッセージ生成ユニットは、IEに属するすべてのUL MAP IEとDL MAP IEが指示する変調コーディング方式に基づいて、同じ変調コーディング方式を指示するUL MAP IEとDL MAP IEを対応のSub-mapメッセージに構築することに用いられ、
Compressed mapメッセージ生成ユニットは、制御IEに属するすべてのUL MAP IEとDL MAP IEをCompressed mapメッセージに構築することに用いられることを特徴とする、装置。
【請求項７】
前記 Sub-mapメッセージ生成ユニットは、第1書き込みサブユニット、第2書き込みサブユニット及び第1構成サブユニットを含み、
第1書き込みサブユニットは、配分IEに属するすべてのUL MAP IEを、各UL MAP IEが指示する変調コーディング方式に応じてそれぞれ対応の第1類Sub-mapメッセージ配列に書き込むことに用いられ、
第2書き込みサブユニットは、配分IEに属するすべてのDL MAP IEを、各DL MAP IEが指示する変調コーディング方式に応じてそれぞれ対応の第2類Sub-mapメッセージ配列に書き込むことに用いられ、
第1構成サブユニットは、前記第1類Sub-mapメッセージ配列と前記第2類Sub-mapメッセージ配列を前記Sub-mapメッセージに構築することに用いられることを特徴とする請求項６に記載の装置。
【請求項８】
前記第1書き込みサブユニットはさらに、各UL MAP IEにおけるUIUCフィールドが指示する変調コーディング方式に基づいて、各UL MAP IEをそれぞれ予めに定義されたIE変調コーディング方式がそれぞれQPSK、16QAM及び64QAMである第1類Sub-mapメッセージ配列に書き込むことに用いられ、
前記第2書き込みサブユニットはさらに、前記DL MAP IEにおけるDIUCフィールドが指示する変調コーディング方式に基づいて、各DL MAP IEをそれぞれ予めに定義されたIE変調コーディング方式がそれぞれQPSK、16QAM及び64QAMである第2類Sub-mapメッセージ配列に書き込むことに用いられ、
前記第1構成サブユニットはさらに、同じ変調コーディング方式の前記第1類Sub-mapメッセージ配列におけるすべてのUL MAP IEを前記第2類Sub-mapメッセージ配列におけるすべてのDL MAP IEの後に書き込み、変調コーディング方式がそれぞれQPSK1/2、16QAM1/2及び64QAM1/2であるSub-mapメッセージを生成することに用いられることを特徴とする請求項７に記載の装置。
【請求項９】
前記Compressed mapメッセージ生成ユニットは、第3書き込みサブユニット、第4書き込みサブユニット及び第2構成サブユニットを含み、
第3書き込みサブユニットは、制御IEに属するすべてのUL MAP IEをCompressed UL MAPメッセージに書き込むことに用いられ、
第4書き込みサブユニットは、制御IEに属するすべてのDL MAP IEをCompressed DL MAPメッセージに書き込むことに用いられ、
第2構成サブユニットは、前記Compressed UL MAPメッセージを前記Compressed DL MAPメッセージの後に付加して、前記Compressed mapメッセージに構築することに用いられることを特徴とする請求項６に記載の装置。
【請求項１０】
前記第4書き込みサブユニットはさらに、Sub-mapメッセージ生成ユニットが各Sub-mapメッセージを構築した後、前記Compressed DL MAPメッセージに、それぞれのSub-mapメッセージが対応するSub-mapメッセージ指示IEを添加し、及びSub-mapメッセージが非デフォルトのZoneに配分されるとき、該Sub-mapメッセージが対応するSub-mapメッセージ指示IEの前に、Zone存在指示IEを添加することに用いられることを特徴とする請求項９に記載の装置。
【発明の詳細な説明】
【技術分野】
【０００１】
本発明はWiMAX無線ブロードバンドアクセス技術分野に関し、特にダウンリンク/アップリンクマップメッセージの生成方法及び装置に関する。
【背景技術】
【０００２】
802.16プロトコルにおいて、ダウンリンク/アップリンクマップ(DL/UL MAP)メッセージが移動端末(Mobile Station、MS)に用いられてメディアアクセス制御(Medium Access Control、MAC)層のアップ・ダウンリンク同期を行い且つアップ・ダウンリンクの帯域幅配分情報を取得し、各種の情報要素(Information Element、IE)からなる。簡単に言えば、1つのデータバースト(Data Burst)の配分があると、1つのIEが指示し、Data Burstが多くなると、相応にIEが多くなり、DL/UL MAPメッセージ本体が大きくなり、占用の帯域幅が増加し、実際にDL/UL MAPメッセージがシグナリングとしてコストされるため、MS伝送業務に配分できる帯域幅が少なくなり、全システムのスループット性能を下げて、特にマルチユーザの時にこのような情況がより明らかになる。従って、802.16プロトコルにも各種の改善方法を提出することにより、できるだけDL/UL MAPメッセージのオーバーヘッドを減少する。
【０００３】
常規のDL/UL MAPメッセージ構造normal DL/UL MAPを定義する以外、802.16プロトコルにさらに、Compressed DL/UL MAP、及びサブダウンリンク/アップリンクマップ(SUB-DL-UL-MAP、Sub-mapと略称する)と言う他の両種DL/UL MAPメッセージの構造を定義する。normal DL/UL MAP情報フィールドがより完全であるが、メッセージ本体が相対に大きく、且つ最低オーダーの変調コーディング方式しかを採用しない、帯域幅を節約することができなく、Compressed DL/UL MAPがnormal DL/UL MAPの基礎にある不必要なフィールドを省略し、メッセージ本体が小さくなるが、帯域幅の節約に大きな改進がなく、sub-mapメッセージが圧縮の形式で存在する必要があり、且つ圧縮ダウンリンク/アップリンクマップ(Compressed map)メッセージと結合してnormal mapメッセージを代わり、Compressed mapメッセージが主に、ゾーン(Zone)の切り替えを制御することとSub-mapメッセージを指示することに用いられ、Sub-mapが配分IEを含み、且つアップ・ダウンリンクIEが1つのsub-mapメッセージにある。
【０００４】
従来の技術は、プロトコルにsub-mapメッセージのフォーマット及び用途だけを提出し、且つ1フレームに最も多くのは3つのsub-mapメッセージがあることを制限し、そしてsub-mapの実現策略を提出しない不足を有する。
【発明の概要】
【発明が解決しようとする課題】
【０００５】
本発明は解決する技術課題が、ダウンリンク/アップリンクマップメッセージの生成方法及び装置を提供することである。
【課題を解決するための手段】
【０００６】
本発明はダウンリンク/アップリンクマップメッセージの生成方法を提供し、
配分情報要素(IE)に属するすべてのアップリンクマップ情報要素(UL MAP IE)とダウンリンクマップ情報要素(DL MAP IE)が指示する変調コーディング方式に基づいて、同じ変調コーディング方式を指示するUL MAP IEとDL MAP IEを対応のサブダウンリンク/アップリンクマップ(Sub-map)メッセージに構築することと、
制御IEに属するすべてのUL MAP IEとDL MAP IEを圧縮ダウンリンク/アップリンクマップ(Compressed map)メッセージに構築することを含む。
【０００７】
同じ変調コーディング方式を指示するUL MAP IEとDL MAP IEを対応のSub-mapメッセージに構築するのは、具体的に、
配分IEに属するすべてのUL MAP IEを、各UL MAP IEが指示する変調コーディング方式に応じてそれぞれ対応の第1類Sub-mapメッセージ配列に書き込むことと、
配分IEに属するすべてのDL MAP IEを、各DL MAP IEが指示する変調コーディング方式に応じてそれぞれ対応の第2類Sub-mapメッセージ配列に書き込むことと、
前記第1類Sub-mapメッセージ配列と前記第2類Sub-mapメッセージ配列を前記Sub-mapメッセージに構築することを含む。
【０００８】
配分IEに属するすべてのUL MAP IEを第1類Sub-mapメッセージ配列に書き込むのは、具体的に、
各UL MAP IEにおけるアップリンク区間使用コード(UIUC)フィールドが指示する変調コーディング方式に基づいて、各UL MAP IEをそれぞれ予めに定義されたIE変調コーディング方式がそれぞれQPSK、16QAM及び64QAMである第1類Sub-mapメッセージ配列に書き込むことを含み、
配分IEに属するすべてのDL MAP IEを第2類Sub-mapメッセージ配列に書き込むのは、具体的に、
前記DL MAP IEにおけるダウンリンク区間使用コード(DIUC)フィールドが指示する変調コーディング方式に基づいて、各DL MAP IEをそれぞれ予めに定義された変調コーディング方式がそれぞれQPSK、16QAM及び64QAMである第2類Sub-mapメッセージ配列に書き込むことを含み、
第1類Sub-mapメッセージ配列と第2類Sub-mapメッセージ配列をSub-mapメッセージに構築するのは、具体的に、
同じ変調コーディング方式の前記第1類Sub-mapメッセージ配列におけるすべてのUL MAP IEを前記第2類Sub-mapメッセージ配列におけるすべてのDL MAP IEの後に書き込み、変調コーディング方式がそれぞれQPSK1/2、16QAM1/2及び64QAM1/2であるSub-mapメッセージを生成することを含む。
【０００９】
制御IEに属するUL MAP IEとDL MAP IEをCompressed mapメッセージに構築するのは、
制御IEに属するすべてのUL MAP IEを圧縮アップリンクマップCompressed UL MAPメッセージに書き込むことと、
制御IEに属するすべてのDL MAP IEを圧縮ダウンリンクマップCompressed DL MAPメッセージに書き込むことと、
前記Compressed UL MAPメッセージを前記Compressed DL MAPメッセージの後に付加して、前記Compressed mapメッセージに構築することを含む。
【００１０】
各Sub-mapメッセージを構築した後、さらに、
前記Compressed DL MAPメッセージに、それぞれのSub-mapメッセージが対応するSub-mapメッセージ指示IEを添加し、及びSub-mapメッセージが非デフォルトのゾーンZoneに配分されるとき、該Sub-mapメッセージが対応するSub-mapメッセージ指示IEの前に、Zone存在指示IEを添加することを含む。
【００１１】
本発明はさらに、ダウンリンク/アップリンクマップメッセージの生成装置を提供し、Sub-mapメッセージ生成ユニットとCompressed mapメッセージ生成ユニットを含み、
Sub-mapメッセージ生成ユニットは、IEに属するすべてのUL MAP IEとDL MAP IEが指示する変調コーディング方式に基づいて、同じ変調コーディング方式を指示するUL MAP IEとDL MAP IEを対応のSub-mapメッセージに構築することに用いられ、
Compressed mapメッセージ生成ユニットは、制御IEに属するすべてのUL MAP IEとDL MAP IEをCompressed mapメッセージに構築することに用いられる。
【００１２】
前記 Sub-mapメッセージ生成ユニットは、第1書き込みサブユニット、第2書き込みサブユニット及び第1構成サブユニットを含み、
第1書き込みサブユニットは、配分IEに属するすべてのUL MAP IEを、各UL MAP IEが指示する変調コーディング方式に応じてそれぞれ対応の第1類Sub-mapメッセージ配列に書き込むことに用いられ、
第2書き込みサブユニットは、配分IEに属するすべてのDL MAP IEを、各DL MAP IEが指示する変調コーディング方式に応じてそれぞれ対応の第2類Sub-mapメッセージ配列に書き込むことに用いられ、
第1構成サブユニットは、前記第1類Sub-mapメッセージ配列と前記第2類Sub-mapメッセージ配列を前記Sub-mapメッセージに構築することに用いられる。
【００１３】
前記第1書き込みサブユニットはさらに、各UL MAP IEにおけるUIUCフィールドが指示する変調コーディング方式に基づいて、各UL MAP IEをそれぞれ予めに定義されたIE変調コーディング方式がそれぞれQPSK、16QAM及び64QAMである第1類Sub-mapメッセージ配列に書き込むことに用いられ、
前記第2書き込みサブユニットはさらに、前記DL MAP IEにおけるDIUCフィールドが指示する変調コーディング方式に基づいて、各DL MAP IEをそれぞれ予めに定義されたIE変調コーディング方式がそれぞれQPSK、16QAM及び64QAMである第2類Sub-mapメッセージ配列中書き込むことに用いられ、
前記第1構成サブユニットはさらに、同じ変調コーディング方式の前記第1類Sub-mapメッセージ配列におけるすべてのUL MAP IEを前記第2類Sub-mapメッセージ配列におけるすべてのDL MAP IEの後に書き込み、変調コーディング方式がそれぞれQPSK1/2、16QAM1/2及び64QAM1/2であるSub-mapメッセージを生成することに用いられる。
【００１４】
前記Compressed mapメッセージ生成ユニットは、具体的に、第3書き込みサブユニット、第4書き込みサブユニット及び第2構成サブユニットを含み、
第3書き込みサブユニットは、制御IEに属するすべてのUL MAP IEをCompressed UL MAPメッセージに書き込むことに用いられ、
第4書き込みサブユニットは、制御IEに属するすべてのDL MAP IEをCompressed DL MAPメッセージに書き込むことに用いられ、
第2構成サブユニットは、前記Compressed UL MAPメッセージを前記Compressed DL MAPメッセージの後に付加して、前記Compressed mapメッセージに構築することに用いられる。
【００１５】
前記第4書き込みサブユニットはさらに、Sub-mapメッセージ生成ユニットが各Sub-mapメッセージを構築した後、前記Compressed DL MAPメッセージに、それぞれのSub-mapメッセージが対応するSub-mapメッセージ指示IEを添加し、及びSub-mapメッセージが非デフォルトのZoneに配分されるとき、該Sub-mapメッセージが対応するSub-mapメッセージ指示IEの前に、Zone存在指示IEを添加することに用いられる。
【発明の効果】
【００１６】
本発明の有益効果は、以下の通りである。
【００１７】
ダウンリンク/アップリンクマップ(DL/UL MAP)メッセージの生成方法及び装置は、配分情報要素(IE)に属するすべてのUL MAP IEとDL MAP IEが指示する変調コーディング方式に基づいて、同じ変調コーディング方式を指示するUL MAP IEとDL MAP IEを対応のSub-mapメッセージに構成し、制御IEに属するすべてのUL MAP IEとDL MAP IEをCompressed mapメッセージに構築する。Compressed mapメッセージとSub-mapメッセージが結合する方式でDL/UL MAPメッセージを実現し、UL MAP IEとDL MAP IEが同一のSub-mapメッセージにあるため、且つSub-mapメッセージがより高いオーダーの変調コーディング方式を採用してもよく、従来のプロトコルが定義したnormal mapメッセージとCompressed mapメッセージが最低オーダーの変調コーディング方式しかを採用しないことに比べて、大幅にmapメッセージのおーばーへっどを減少することができ、システムにより多く帯域幅を有させてユーザデータを伝送することに用いられ、特に、ユーザデータがより多く高オーダー変調コーディング方式を採用する場合に、よりよく帯域幅の利用効率を高め、システムのスループット量を向上させることができる。
【図面の簡単な説明】
【００１８】
【図１】本発明の実施例に提供されたUL MAP IEを処理するフロー図である。
【図２】本発明の実施例に提供されたDL MAP IEを処理するフロー図である。
【図３】本発明の実施例に提供されたSub-mapメッセージとCompressed mapメッセージを生成するフロー図である。
【図４】本発明の実施例に提供されたDL/UL MAPメッセージの生成装置の構造模式図である。
【図５】本発明の実施例に提供されたSub-mapメッセージ生成ユニットの構造模式図である。
【図６】本発明の実施例に提供されたCompressed mapメッセージ生成ユニットの構造模式図である。
【発明を実施するための形態】
【００１９】
次に、図面によって、本発明に提供されたダウンリンク/アップリンクマップ(DL/UL MAP)メッセージの生成方法及び装置の実施形態について説明する。
【００２０】
本発明の実施例は、ダウンリンク/アップリンクマップ(DL/UL MAP)メッセージの生成方法を提供し、該DL/UL MAPメッセージが、Sub-mapメッセージとCompressed mapメッセージを結合する方式を採用し、
配分情報要素(IE)に属するすべてのアップリンクマップ情報要素(UL MAP IE)とダウンリンクマップ情報要素(DL MAP IE)が指示する変調コーディング方式に基づいて、同じ変調コーディング方式を指示するUL MAP IEとDL MAP IEを対応のサブダウンリンク/アップリンクマップ(Sub-map)メッセージに構築することと、
制御IEに属するすべてのUL MAP IEとDL MAP IEを圧縮ダウンリンク/アップリンクマップ(Compressed map)メッセージに構築することを含む。
【００２１】
次に、Sub-mapメッセージとCompressed mapメッセージを生成するフローについて詳しく説明する。
【００２２】
本発明の実施例において、Sub-mapメッセージとCompressed mapメッセージを生成する前に、まず、生成したアップリンクマップ情報要素(Uplink Map Information Element、UL MAP IE)を処理し、及び生成したダウンリンクマップ情報要素(Downlink Map Information Element、DL MAP IE)を処理する必要がある。
【００２３】
まず、UL MAP IEを生成、処理する過程について説明する。
【００２４】
アップリンク接続をスケジュールするとき、ネットワーク側が、異なるスケジューリング算法に基づいて移動端末(Mobile Station、MS)に帯域幅を配分し、アップリンクサブフレームの区分を確定し、且つスケジューリング結果を記憶し、スケジューリング結果に基づいて各アップリンクマップ情報要素(Uplink Map Information Element、UL MAP IE)を生成する。この過程は従来の技術に属し、本発明の実施例に詳しく説明しない。
【００２５】
図1に示すように、生成したUL MAP IEに対してさらに処理するのは、以下のステップを含む。
【００２６】
ステップ101、生成したUL MAP IEが制御IEに属するか、それとも配分IEに属するかを判断し、制御IEであると、ステップ102を実行し、さもないと、ステップ103を実行する。
【００２７】
ステップ102、制御IEに属するUL MAP IEを圧縮アップリンクマップ(Compressed UL MAP)メッセージに書き込む。
【００２８】
ステップ103、配分IEに属するUL MAP IEにおけるアップリンク区間使用コード(Uplink Interval Usage Code、UIUC)フィールドが指示する変調コーディング方式が、4 位相偏移変調(Quadrature Phase-Shift Keying、QPSK)1/2或いはQPSK3/4方式であるかどうかを判断し、であると、ステップ104を実行し、さもないと、ステップ105を実行する。
【００２９】
ステップ104、1つのMapQPSK配列を定義し、該MapQPSKはUIUCフィールドが指示する変調コーディング方式がQPSK1/2或いはQPSK3/4であるUL MAP IEを預けることに用いられ、指示変調コーディング方式がQPSK1/2或いはQPSK3/4であるUL MAP IEを該MapQPSK配列に書き込む。
【００３０】
ステップ105、配分IEに属するUL MAP IEにおけるUIUCフィールドが指示する変調コーディング方式が、16QAM1/2或いは16QAM3/4であるかどうかを判断し、であると、ステップ106を実行し、さもないと、ステップ107を実行する。
【００３１】
ステップ106、1つのMap16QAM配列を定義し、該Map16QAM配列はUIUCフィールドが指示する変調コーディング方式が16直交振幅変調(Quadrature Amplitude Modulation、QAM)1/2或いは16QAM 3/4であるUL MAP IEを預けることに用いられ、指示変調コーディング方式が16QAM 1/2或いは16QAM 3/4であるUL MAP IEを該Map16QAM配列に書き込む。
【００３２】
ステップ107、1つのMap64QAM配列を定義し、UIUCフィールドが指示する変調コーディング方式が64QAM1/2、64QAM2/3、64QAM3/4或いは64QAM5/6であるUL MAP IEを該Map64QAM配列に書き込む。
【００３３】
UL MAP IEのUIUCフィールドが指示する変調コーディング方式が、QPSK1/2、QPSK3/4、16QAM 1/2或いは16QAM 3/4の以外に、残るのは64QAM1/2、64QAM2/3、64QAM3/4或いは64QAM5/6いくつかの方式の1つであることになるため、従って、本ステップ107に、指示する変調コーディング方式がQPSKと16QAMに属しないUL MAP IEを直接にMap64QAM配列に書き込む。
【００３４】
ステップ108、すべてのUL MAP IE(制御IEであろと、配分IEであろと)が処理され終わるかどうかを判断し、終わると、UL MAP IEの処理フローを終了し、さもないと、ステップ101にジャンプする。
【００３５】
ネットワーク側は、すべてのダウンリンク接続をスケジュールし、異なるスケジューリング算法に基づいて帯域幅を配分し、ダウンリンクサブフレームの区分を確定し、且つスケジューリング結果を記憶し、ダウンリンク接続へのスケジューリング結果に基づいて、各ダウンリンクマップ情報要素(Downlink Map Information Element、DL MAP IE)を生成する。
【００３６】
図2に示すように、生成したDL MAP IEをさらに処理するのは以下のステップを含む。
【００３７】
ステップ201、生成したDL MAP IEが制御IEに属するか、それとも配分IEに属するかを判断し、制御IEであると、ステップ202を実行し、さもないと、ステップ203を実行する。
【００３８】
ステップ202、制御IEに属するDL MAP IEを圧縮ダウンリンクマップ(Compressed DL MAP)メッセージに書き込む。
【００３９】
ステップ203、配分IEに属するDL MAP IEにおけるダウンリンク区間使用コード(Downlink Interval Usage Code、DIUC)フィールドが指示する変調コーディング方式が、QPSK1/2或いはQPSK3/4方式であるかどうかを判断し、であると、ステップ204を実行し、さもないと、ステップ205を実行する。
【００４０】
ステップ204、1つのSub-mapメッセージ配列SmapQPSKを定義し、DIUCフィールドが指示する変調コーディング方式がQPSK1/2或いはQPSK3/4であるDL MAP IEを該SmapQPSK配列に書き込む。
【００４１】
該SmapQPSK配列が最終に対応の変調コーディング方式がQPSK1/2であるSub-mapメッセージを生成するため、従って、DL MAP IEを書き込むとき、後続で該Sub-mapメッセージを生成する過程で再び書き込むように該Sub-mapメッセージのヘッドフィールドを予約する必要がある。
【００４２】
ステップ205、配分IEに属するDL MAP IEにおけるDIUCフィールドが指示する変調コーディング方式が、16QAM1/2或いは16QAM3/4であるかどうかを判断し、であると、ステップ206を実行し、さもないと、ステップ207を実行し、
ステップ206、1つのSub-mapメッセージ配列Smap16QAMを定義し、DIUCフィールドが指示する変調コーディング方式が16QAM1/2或いは16QAM3/4であるDL MAP IEを該Smap16QAM配列に書き込む。
【００４３】
該SmapQPSK配列が最終に対応の変調コーディング方式が16QAM1/2であるSub-mapメッセージを生成するため、従って、DL MAP IEを書き込むとき、後続で該Sub-mapメッセージを生成する過程で再び書き込むように該Sub-mapメッセージのヘッドフィールドを予約する必要がある。
【００４４】
ステップ207、1つのSub-mapメッセージ配列Smap64QAMを定義し、そのDIUCフィールドが指示する変調コーディング方式が64QAM1/2、64QAM2/3、64QAM3/4或いは64QAM5/6であるUL MAP IEを該Smap64QAM配列に書き込む。
【００４５】
該Smap64QAM配列が最終に対応の変調コーディング方式が64QAM1/2であるSub-mapメッセージを生成するため、従って、DL MAP IEを書き込むとき、後続で該Sub-mapメッセージを生成する過程で再び書き込むように該Sub-mapメッセージのヘッドフィールドを予約する必要がある。
【００４６】
ステップ208、すべてのDL MAP IE(制御IEであろと、配分IEであろと)が処理され終わるかどうかを判断し、終わると、DL MAP IEの処理フローを終了し、さもないと、ステップ201にジャンプする。
【００４７】
区別するために、次に、図1に示すフローが生成したMapQPSK、Map16QAM及びMap64QAM配列を第1類Sub-mapメッセージ配列称し、図2に示すフローが生成したSmapQPSK、Smap16QAM及びSmap64QAMを第2類Sub-mapメッセージ配列称する。
【００４８】
Sub-mapメッセージとCompressed mapメッセージを生成するフローは、図3に示すように、下記のステップを含む。
【００４９】
ステップ301、第1類Sub-mapメッセージ配列(即ちMapQPSK、Map16QAM及びMap64QAM配列)にデータが存在するかどうかを判断し、第1類Sub-mapメッセージ配列にいずれもデータがないと、ステップ304を実行し、さもないと、ステップ302を実行する。
【００５０】
ステップ302、MapQPSK、Map16QAM及びMap64QAM配列におけるUL MAP IEを変調コーディング方式が同じ第2類Sub-mapメッセージ配列(対応するのはそれぞれSmapQPSK、Smap16QAM及びSmap64QAMである)におけるDL MAP IEの後に書き込み、且つ対応のメッセージヘッドフィールドを添加し、対応のSub-mapメッセージを生成する。
【００５１】
例を挙げて、MapQPSK配列におけるすべてのUL MAP IEをSmapQPSK配列におけるすべてのDL MAP IEの後に書き込み、このように、且つすべてのDL MAP IEの前に、該Sub-mapメッセージのメッセージヘッドフィールドを添加し、最終に変調コーディング方式がQPSK1/2であるSub-mapメッセージを生成する。
【００５２】
SmapQPSK、Smap16QAM及びSmap64QAM配列、MapQPSK、Map16QAM及びMap64QAM配列に、各配列にデータを記憶し、或いは一部配列にデータを記憶する恐れがあり、従って、3つ以下のSub-mapメッセージを生成する。3つのSub-mapメッセージが生成すると、この3つのSub-mapメッセージの変調コーディング方式がそれぞれQPSK1/2、16QAM1/2及び64QAM1/2である。
【００５３】
生成したそれぞれのSub-mapメッセージの総長さが、メッセージヘッドフィールドの長さと、DL MAP IEの長さと、ステップ302で書き込んだUL MAP IEの長さとの和に等しい。
【００５４】
ステップ303、ステップ302で生成したSub-mapメッセージに基づいて、Compressed DL MAPメッセージに対応のSub-mapメッセージ指示IEを添加する。且つ、生成したSub-mapメッセージが異なるZoneに配分され、そしてデフォルトのZoneに配分されないと、該Sub-mapメッセージが対応するSub-mapメッセージ指示IEの前に、さらにZone存在指示IEを添加する必要があり、Zone存在指示IEが該Sub-mapメッセージの配分された非デフォルトのZoneを指示することに用いられる。
【００５５】
Sub-mapメッセージ指示IEごとに1つのSub-mapメッセージを対応し、ステップ302で3つのSub-mapメッセージを生成すると、Compressed DL MAPメッセージに3つの対応のSub-mapメッセージ指示IEを添加し、Sub-mapメッセージ指示IEが、例えば従来のミックス再送要求とSub-MAP メッセージ指示IE(HARQ and Sub-MAP Pointer IE)を使用してもよい。
【００５６】
Zone存在指示IEは、例えば従来のSTC_Zone_IEを採用してもよい。各Sub-mapメッセージが同一のZoneに配分されてもよく、それぞれ異なるZoneに配分されてもよい。
【００５７】
ステップ304、Compressed UL MAPメッセージが存在するかどうかを判断し、存在すると、ステップ305を実行し、さもないと、フローが終了する。
【００５８】
ステップ305、Compressed UL MAPメッセージをCompressed DL MAPメッセージの後に付加し、Compressed mapメッセージに構築する。
【００５９】
本ステップ305において、生成したCompressed mapメッセージが長さがCompressed UL MAPメッセージとCompressed DL MAPメッセージとの長さの和に等しい。
【００６０】
Compressed mapメッセージを構築した後、フローが終了する。
【００６１】
同一の発明構想に基づいて、本発明の実施例はさらに、ダウンリンク/アップリンクマップ(DL/UL MAP)メッセージの生成装置を提供し、これらの機器は問題を解決する原理が前記ダウンリンク/アップリンクマップ(DL/UL MAP)メッセージの生成方法と似ているため、これらの機器の実施が方法の実施に参照することができ、重複のところが贅言しない。
【００６２】
本発明の実施例に提供されたDL/UL MAPメッセージの生成装置は、図4に示すように、Sub-mapメッセージ生成ユニット401とCompressed mapメッセージ生成ユニット402を含み、
Sub-mapメッセージ生成ユニット401は、配分情報要素(IE)に属するすべてのアップリンクマップ情報要素(UL MAP IE)とダウンリンクマップ情報要素(DL MAP IE)が指示する変調コーディング方式に基づいて、同じ変調コーディング方式を指示するUL MAP IEとDL MAP IEを対応のサブダウンリンク/アップリンクマップ(Sub-map)メッセージに構築することに用いられ、
Compressed mapメッセージ生成ユニット402は、制御IEに属するすべてのUL MAP IEとDL MAP IEを圧縮アップリンク/ダウンリンクマップ(Compressed map)メッセージに構築することに用いられる。
【００６３】
本発明の実施例に提供されたDL/UL MAPメッセージの生成装置において、Sub-mapメッセージ生成ユニット401は、図5に示すように、具体的に、第1書き込みサブユニット4011、第2書き込みサブユニット4012及び第1構成サブユニット4013を含み、
第1書き込みサブユニット4011は、配分IEに属するすべてのUL MAP IEを、各UL MAP IEが指示する変調コーディング方式に応じてそれぞれ対応の第1類Sub-mapメッセージ配列に書き込むことに用いられ、
第2書き込みサブユニット4012は、配分IEに属するすべてのDL MAP IEを、各DL MAP IEが指示する変調コーディング方式に応じてそれぞれ対応の第2類Sub-mapメッセージ配列に書き込むことに用いられ、
第1構成サブユニット4013は、第1類Sub-mapメッセージ配列と第2類Sub-mapメッセージ配列をSub-mapメッセージに構築することに用いられる。
【００６４】
さらに、本発明の実施例に提供されたDL/UL MAPメッセージの生成装置において、第1書き込みサブユニット4011はさらに、各UL MAP IEにおけるアップリンク区間使用コード(UIUC)フィールドが指示する変調コーディング方式に基づいて、各UL MAP IEをそれぞれ予めに定義された変調コーディング方式がそれぞれQPSK、16QAM及び64QAMである第1類Sub-mapメッセージ配列に書き込むことに用いられ、
第2書き込みサブユニット4012はされに、前記DL MAP IEにおけるダウンリンク区間使用コード(DIUC)フィールドが指示する変調コーディング方式に基づいて、各DL MAP IEをそれぞれ予めに定義された変調コーディング方式がそれぞれQPSK、16QAM及び64QAMである第2類Sub-mapメッセージ配列に書き込むことに用いられ、
第1構成サブユニット4013はさらに、同じ変調コーディング方式の前記第1類Sub-mapメッセージ配列におけるすべてのUL MAP IEを前記第2類Sub-mapメッセージ配列におけるすべてのDL MAP IEの後に書き込み、変調コーディング方式がそれぞれQPSK、16QAM及び64QAMであるSub-mapメッセージを生成することに用いられる。
【００６５】
さらに、本発明の実施例に提供されたDL/UL MAPメッセージの生成装置において、Compressed mapメッセージ生成ユニット402は、図6に示すように、具体的に、第3書き込みサブユニット4021、第4書き込みサブユニット4022及び第2構成サブユニット4023を含み、
第3書き込みサブユニット4021は、制御IEに属するすべてのUL MAP IEを圧縮アップリンクマップ(Compressed UL MAP)メッセージに書き込むことに用いられ、
第4書き込みサブユニット4022は、制御IEに属するすべてのDL MAP IEを圧縮ダウンリンクマップ(Compressed DL MAP)メッセージに書き込むことに用いられ、
第2構成サブユニット4023は、Compressed UL MAPメッセージをCompressed DL MAPメッセージの後に付加し、Compressed mapメッセージに構築することに用いられる。
【００６６】
さらに、本発明の実施例に提供されたDL/UL MAPメッセージの生成装置において、第4書き込みサブユニット4022はさらに、Sub-mapメッセージ生成ユニット401が各Sub-mapメッセージを構築した後、前記Compressed DL MAPメッセージに、それぞれのSub-mapメッセージが対応するSub-mapメッセージ指示IEを添加し、及びSub-mapメッセージが非デフォルトのゾーン(Zone)に配分されるとき、該Sub-mapメッセージが対応するSub-mapメッセージ指示IEの前に、さらにZone存在指示IEを添加することに用いられる。
【００６７】
本発明の実施例に提供されたダウンリンク/アップリンクマップ(DL/UL MAP)メッセージの生成方法及び装置は、配分情報要素(IE)に属するすべてのUL MAP IEとDL MAP IEが指示する変調コーディング方式に基づいて、同じ変調コーディング方式を指示するUL MAP IEとDL MAP IEを対応のSub-mapメッセージに構成し、制御IEに属するすべてのUL MAP IEとDL MAP IEをCompressed mapメッセージに構築する。Compressed mapメッセージとSub-mapメッセージ結合する方式でDL/UL MAPメッセージを生成し、UL MAP IEとDL MAP IEが同一のSub-mapメッセージにあり、且つSub-mapメッセージより高いオーダーの変調コーディング方式を採用することができるため、従来のプロトコルが定義したnormal mapメッセージとCompressed mapメッセージが最低オーダーの変調コーディング方式しかを採用しないことに比べて、大幅にmapメッセージのオーバーヘッドを減少することができ、システムにより多く帯域幅を有させてユーザデータを伝送することに用いられ、特にユーザデータが多く高オーダー変調コーディング方式を採用する場合に、よりよく帯域幅の利用効率を高め、システムのスループット量を向上させることができる。
【００６８】
明らに、本分野の技術者は、本発明の精神と範囲から離れないように本発明に対して各種の改変と変形を行うことができる。このように、本発明のこれらの修繕と変形が本発明の請求項及び同等技術の範囲内に属すれば、本発明はこれらの改変と変形を含む意図がある。
【図１】
2013501437.tif 000003
【図２】
2013501437.tif 000004
【図３】
2013501437.tif 000005
【図４】
2013501437.tif 000006
【図５】
2013501437.tif 000007
【図６】
2013501437.tif 000008
【国際調査報告】
2013501437.tif 000009
2013501437.tif 000010
2013501437.tif 000011
2013501437.tif 000012
2013501437.tif 000013
2013501437.tif 000014